【手続補正書】
【提出日】平成20年4月7日(2008.4.7)
【手続補正１】
【補正対象書類名】明細書
【補正対象項目名】特許請求の範囲
【補正方法】変更
【補正の内容】
【特許請求の範囲】
【請求項１】  
薬入れに備えられた薬入れ開閉センサと、前記薬入れ開閉センサの蓋開閉信号が入力される電子時計とで構成され、
前記薬入れ開閉センサの閉信号が発生した時刻を服薬完了時刻として前記電子時計の記憶部に記憶する服薬完了時刻記憶機能と、
前記電子時計に設定された服薬予定時刻に前記電子時計の報知部によって服薬催告を行う服薬催告機能を有する服薬管理支援装置において、
前記服薬催告は、前記電子時計に設定された服薬予定時刻までに前記薬入れ開閉センサの閉信号が発生しなかった場合に発生し、前記前記服薬予定時刻よりも前に前記薬入れ開閉センサの閉信号が発生した場合には発生しないことを特徴とする服薬管理支援装置。
【請求項２】
薬入れに備えられた薬入れ開閉センサと、前記薬入れ開閉センサの蓋開閉信号が入力される電子時計とで構成され、
前記薬入れ開閉センサの閉信号が発生した時刻を服薬完了時刻として前記電子時計の記憶部に記憶する服薬完了時刻記憶機能と、
前記電子時計に設定された服薬予定時刻に前記電子時計の報知部によって服薬催告を行う服薬催告機能と、
直近の服薬完了時刻からの服薬禁止時間が経過しない内に前記薬入れ開閉センサの開信号が発生した場合には前記電子時計の報知部によって二度飲み警告を行う薬の二度飲み警告機能とを有する服薬管理支援装置において、
前記服薬催告は、前記電子時計に設定された服薬予定時刻までに前記薬入れ開閉センサの閉信号が発生しなかった場合に発生し、前記前記服薬予定時刻よりも前に前記薬入れ開閉センサの閉信号が発生した場合には発生しないことを特徴とする服薬管理支援装置。
【請求項３】  
翌日の服薬予定時刻は、当日の服薬完了時刻が前記記憶部に記憶された直後に前記電子時計の制御部により前記記憶部に記憶されている服薬完了時刻に基づいて自動的に算出され設定されることを特徴とする請求項１又は２に記載の服薬管理支援装置。
【請求項４】  
前記翌日の服薬予定時刻は当日の服薬完了時刻に所定の演算を施して得られた時刻であることを特徴とする請求項３の服薬管理支援装置。
【請求項５】  
前記翌日の服薬予定時刻は、前記記憶部に記憶されている複数の服薬完了時刻の中から選ばれたものであることを特徴とする請求項３の服薬管理支援装置。
【手続補正２】
【補正対象書類名】明細書
【補正対象項目名】００１１
【補正方法】変更
【補正の内容】
【００１１】
【課題を解決するための手段】
上述の課題を解決する第１の服薬管理支援装置は、薬入れに備えられた薬入れ開閉センサと、前記薬入れ開閉センサの蓋開閉信号が入力される電子時計とで構成され、前記薬入れ開閉センサの閉信号が発生した時刻を服薬完了時刻として前記電子時計の記憶部に記憶する服薬完了時刻記憶機能と、前記電子時計に設定された服薬予定時刻に前記電子時計の報知部によって服薬催告を行う服薬催告機能を有する服薬管理支援装置において、前記服薬催告は、前記電子時計に設定された服薬予定時刻までに前記薬入れ開閉センサの閉信号が発生しなかった場合に発生し、前記前記服薬予定時刻よりも前に前記薬入れ開閉センサの閉信号が発生した場合には発生しないことを特徴とするものである。
【手続補正３】
【補正対象書類名】明細書
【補正対象項目名】００１２
【補正方法】変更
【補正の内容】
【００１２】
上述の第１の服薬管理支援装置において、翌日の服薬予定時刻は、当日の服薬完了時刻が前記記憶部に記憶された直後に前記電子時計の制御部により前記記憶部に記憶されている服薬完了時刻に基づいて自動的に算出され設定される。
【手続補正４】
【補正対象書類名】明細書
【補正対象項目名】００１３
【補正方法】変更
【補正の内容】
【００１３】
そして、前記翌日の服薬予定時刻は、当日の服薬完了時刻に所定の演算を施して得られた時刻である。又は、前記翌日の服薬予定時刻は、前記記憶部に記憶されている複数の服薬完了時刻の中から選ばれたものである。
【手続補正５】
【補正対象書類名】明細書
【補正対象項目名】００２５
【補正方法】変更
【補正の内容】
【００２５】
（第１服薬予定時刻よりも前に服薬した場合）
第１服薬予定時刻である午前６時３２分よりも早い午前６時１８分に利用者が服薬した場合、服薬管理支援装置は第１服薬予定時刻の到達の判定（２０１）と蓋閉信号の入力の判定（２０２）と第１服薬時間帯か否かの判定（２０３）に続いて、第１服薬完了時刻の記憶と表示を行う（２０４）。即ち、制御部１１は午前６時１８分を当日の第１服薬完了時刻として服薬完了時刻記憶部１４ａに記憶し、液晶表示器１７に３秒間だけ点滅表示させる。第１服薬時間帯は、第１服薬予定時刻の前１時間から後１時間までの間の２時間である。この処理の流れから明らかな如く、本発明に係る服薬催告機能を有する服薬管理支援装置においては、服薬予定時刻より前に蓋閉信号の入力があった場合には服薬催告は行われないのである。換言すれば、制御部１１は利用者が薬を飲み忘れたか否かを判定しているのである。従って、薬を飲み忘れなければ、利用者は耳障りな服薬催告を聞くことがないのである。
【手続補正６】
【補正対象書類名】明細書
【補正対象項目名】００２７
【補正方法】変更
【補正の内容】
【００２７】
（第１服薬予定時刻よりも後に服薬した場合）
第１服薬予定時刻である午前６時３２分までに服薬しなかった場合、服薬管理支援装置は第１服薬予定時刻の到達の判定（２０１）に続いて、第１服薬予定時刻である旨の服薬催告を行う（２０６）。この処理の流れから明らかな如く、本発明に係る服薬催告機能を有する服薬管理支援装置においては、服薬予定時刻より前に蓋閉信号の入力があった場合には服薬催告は行われないで、服薬予定時刻より後に蓋閉信号の入力があった場合にだけ服薬催告が行われるのである。換言すれば、制御部１１は利用者が薬を飲み忘れたか否かを判定しているのである。従って、服薬催告が発生すれば、利用者は薬の飲み忘れを確実に知ることができる。
【手続補正７】
【補正対象書類名】明細書
【補正対象項目名】００３０
【補正方法】変更
【補正の内容】
【００３０】
（第２服薬予定時刻よりも前に服薬した場合）
第２服薬予定時刻である午後７時１６分よりも早い午後６時５８分に利用者が服薬した場合、服薬管理支援装置は第２服薬予定時刻の到達の判定（２０７）と蓋閉信号の入力の判定（２０８）と第２服薬時間帯か否かの判定（２０９）に続いて、第２服薬完了時刻の記憶と表示を行う（２１０）。即ち、制御部１１は午後６時５８分を当日の第２服薬完了時刻として服薬完了時刻記憶部１４ａに記憶し、液晶表示器１７に３秒間だけ表示させる。第２服薬時間帯は、第２服薬予定時刻の前後１時間から後１時間までの間の２時間である。この処理の流れから明らかな如く、本発明に係る服薬催告機能を有する服薬管理支援装置においては、服薬予定時刻より前に蓋閉信号の入力があった場合には服薬催告は行われないのである。換言すれば、制御部１１は利用者が薬を飲み忘れたか否かを判定しているのである。従って、薬を飲み忘れなければ、利用者は耳障りな服薬催告を聞くことがないのである。
【手続補正８】
【補正対象書類名】明細書
【補正対象項目名】００３２
【補正方法】変更
【補正の内容】
【００３２】
（第２服薬予定時刻よりも後に服薬した場合）
第２服薬予定時刻である午後７時１６分までに服薬しなかった場合、服薬管理支援装置は第２服薬予定時刻の到達の判定（２１１）に続いて、第２服薬予定時刻である旨の服薬催告を行う（２１２）。この処理の流れから明らかな如く、本発明に係る服薬催告機能を有する服薬管理支援装置においては、服薬予定時刻より前に蓋閉信号の入力があった場合には服薬催告は行われないで、服薬予定時刻より後に蓋閉信号の入力があった場合にだけ服薬催告が行われるのである。換言すれば、制御部１１は利用者が薬を飲み忘れたか否かを判定しているのである。従って、服薬催告が発生すれば、利用者は薬の飲み忘れを確実に知ることができる。
【手続補正９】
【補正対象書類名】明細書
【補正対象項目名】００３６
【補正方法】変更
【補正の内容】
【００３６】
即ち、第１服薬予定時刻の到達の判定（２０１）と蓋閉信号入力の判定（２０２）の間に付加された二度飲み警告処理の流れは、図４に示す如く、蓋開信号入力の判定（２０１１）、直近の服薬完了時刻から３時間経過したか否かの判定（２０２２）、二度飲み警告開始（２０２３）、蓋閉信号入力の判定（２０２４）、及び二度飲み警告停止（２０２５）の４つの処理ステップからなるものである。この場合の直近の服薬完了時刻は前日の第２服薬完了時刻である。なお、上記３時間は典型的な服薬禁止時間であって、同じ薬を二度飲みしたら危険とされている時間間隔である。そして、服薬禁止時間は予めデータ記憶部１４に記憶されているものである。
【手続補正１０】
【補正対象書類名】明細書
【補正対象項目名】００６８
【補正方法】変更
【補正の内容】
【００６８】
【発明の効果】
本発明により、処方薬の飲み忘れや二度飲みを防止する操作が簡単な服薬管理支援装置を提供された。また、服薬催告機能を有する服薬管理支援装置において、時刻設定ボタンを操作しないで服薬予定時刻の設定を簡単に行えるようなった。従って、本発明の服薬催告機能付き服薬管理支援装置の利用者は、１日１回ないし複数回の自分の服薬パターンに対応して、服薬予定時刻を簡単に設定できる。また、服薬パターンが変更された場合には、利用者は翌日の服薬予定時刻の更新を簡単に行うことができる。服薬予定時刻の初期設定も更新も、利用者は薬入れを開閉するだけである。従って、本発明の服薬催告機能付き服薬管理支援装置の利用者は、面倒な時刻設定ボタン等による操作を行うことなく、翌日の服薬予定時刻を簡単に設定できるようになった。